【手続補正書】
【提出日】平成18年12月26日(2006.12.26)
【手続補正１】
【補正対象書類名】特許請求の範囲
【補正対象項目名】全文
【補正方法】変更
【補正の内容】
【特許請求の範囲】
【請求項１】
遠隔周辺電子デバイスとの連絡において発生するイベントの集中制御アーキテクチャであって、
少なくとも１つの電子中央デバイス（１１１）であって、演算ユニット即ちＣＰＵ（１２３）と、送信ユニット（１１５）と、受信ユニット（１１７）と、電源ユニット（１１４）とが設けられた、電子中央デバイスと、
ネットワーク・タイミング信号を発生する少なくとも１つのデバイス（１２１）と、
少なくとも１つの電子周辺デバイス（１１ａ、１１ｂ、．．．１１ｎ）であって、演算ユニット即ちＣＰＵ（２３）と、記憶ユニット（２５）と、送信ユニット（１５）と、受信ユニット（１７）と、ローカル・タイミング信号を発生するデバイス（２１）と、バッテリ（１３）と、この送信および／または受信ユニットへの電力供給を周期的に中断および活性化する手段とが設けられた、周辺デバイスと、
を備えており、前記少なくとも１つの周辺デバイス（１１ａ、１１ｂ、．．．１１ｎ）は、前記中央デバイスから自律的に来るデータ流によってプログラム可能であることを特徴とするアーキテクチャ。
【請求項２】
請求項１記載のアーキテクチャにおいて、前記前記中央デバイス（１１１）から前記周辺デバイスへの情報流の自律転送を可能にする手段を備えており、前記情報流は、前記周辺デバイス（１１ａ、１１ｂ、．．．１１ｎ）内の前記受信ユニット（１７）によって受信することができ、前記手段は、ネットワーク・タイミング信号に関して前記周辺デバイスの送信／受信ユニット（１５、１７）のターンオンおよびターンオフ・スロットの同期ループと、前記中央デバイス（１１１）から前記周辺デバイス（１１ａ、１１ｂ、．．．１１ｎ）までのデータ転送ループとを含む、アーキテクチャ。
【請求項３】
請求項２記載のアーキテクチャにおいて、前記中央デバイス（１１１）および／または前記周辺デバイス（１１ａ、１１ｂ、．．．１１ｎ）は、以下の機械状態、
前記送信および受信ユニットに給電しない「スリーピング状態」、
前記受信ユニットには給電し、前記送信ユニットには給電しない「受動状態」、
前記送信および受信ユニット双方に給電する「能動状態」
を取ることができる、アーキテクチャ。
【請求項４】
請求項３記載のアーキテクチャにおいて、前記中央デバイス（１１１）および／または前記周辺デバイス（１１ａ、１１ｂ、．．．１１ｎ）は、周期的に前記「スリーピング状態」から前記「受動状態」に切り替わり、前記切り換えの頻度は、ローカル・タイミング信号によって決定され、前記「受動状態」の時間長は、前記ローカル・タイミング信号により、また前記受信ユニット（１７）によるデータ流の受信により決定される、アーキテクチャ。
【請求項５】
請求項４記載のアーキテクチャにおいて、前記中央デバイスおよび／または前記周辺デバイスは、周期的に、前記「受動状態」から前記「能動状態」に、およびその逆に切り替わり、前記切り換えの頻度は、前記前記中央および／または周辺デバイスとの連絡において発生し、送信する必要があるイベントの発生によって決定される、アーキテクチャ。
【請求項６】
請求項１から５のいずれかに記載のアーキテクチャにおいて、前記周辺デバイスはワイヤレス・デバイスであり、前記送信ユニットおよび前記受信ユニットは、それぞれ、送信無線ユニットおよび受信無線ユニットである、アーキテクチャ。
【請求項７】
請求項１から６のいずれかに記載のアーキテクチャにおいて、前記中央デバイスおよび／または前記周辺デバイスの前記給電ユニットは、バッテリを含む、アーキテクチャ。
【請求項８】
請求項３記載のアーキテクチャにおいて、前記中央デバイスの前記給電ユニットは、公共または私有の電力供給網に接続された電源を含む、アーキテクチャ。
【請求項９】
請求項１から８のいずれかに記載のアーキテクチャにおいて、ネットワーク・タイミング信号を発生する前記デバイスは、前記中央デバイス内に一体化されている、アーキテクチャ。
【請求項１０】
請求項１から９のいずれかに記載のアーキテクチャにおいて、前記周辺デバイスは、盗難防止または防火システムのセンサであり、前記中央デバイスは、前記システムの制御ユニットである、アーキテクチャ。
【請求項１１】
請求項６記載のアーキテクチャにおいて、前記受信および送信無線ユニットは、全てのデバイスに共通な所定のシーケンスにしたがって選択した所定の周波数の１群に属する可変周波数において互いに通信を行い、前記同期ループは、前記周波数の１群から常に同じ回復周波数（ｒｆ）を利用することによって実行する、アーキテクチャ。
【請求項１２】
演算ユニット即ちＣＰＵ（１２３）と、送信ユニット（１１５）と、受信ユニット（１１７）と、電源ユニット（１１４）と、ネットワーク・タイミング信号を発生するデバイス（１２１）を備えている少なくとも１つの電子中央デバイスによる、演算ユニット即ちＣＰＵ（２３）と、記憶ユニット（２５）と、送信ユニット（１５）と、受信ユニット（１７）と、ローカル・タイミング信号を発生するデバイス（２１）と、バッテリ（１３）と、この送信および／または受信ユニットへの電力供給を周期的に中断および活性化する手段とを備えている遠隔周辺電子デバイスとの連絡において発生するイベントの集中制御方法であって、前記少なくとも１つの周辺デバイス（１１ａ、１１ｂ、．．．１１ｎ）を、前記中央デバイスから自律的に来るデータ流によってプログラムする段階を備えていることを特徴とする方法。
【請求項１３】
請求項１２記載の方法において、前記周辺デバイスの無線ユニットのターンオンおよびターンオフの、前記ネットワーク・タイミング信号との同期の第１段階と、前記中央デバイスから前記周辺デバイスにデータを転送する第２段階とによって、前記周辺デバイスをプログラムする、方法。
【請求項１４】
請求項１３記載の方法において、前記同期段階は、同期が外れている周辺デバイスによる、同期要求（ＲＥＱ＿ＳＹＮＣ）の送信を含み、前記要求は、前記ネットワーク・タイミング・デバイスが発信する回答（ＳＹＮＣ）の前記周辺デバイスによる受信まで繰り返される、方法。
【請求項１５】
請求項１３記載の方法において、前記同期段階は、同期が外れている前記周辺デバイスによる、同期要求（ＲＥＱ＿ＳＹＮＣ）の送信を含み、前記要求は、前記周辺デバイスおよび前記中央デバイスがデータ送信および受信のために動作する周波数（ｆ１、ｆ２、．．．ｆｎ）の１群から選択した、同じ回復周波数（ｒｆ）において常に繰り返される、方法。
【請求項１６】
請求項１４または１５記載の方法において、前記中央デバイス（１１１）および／または前記周辺デバイス（１１ａ、１１ｂ、．．．１１ｎ）は、次の機械状態、
前記送信および受信ユニットに給電しない「スリーピング状態」、
前記受信ユニットには給電し、前記送信ユニットには給電しない「受動状態」、
前記送信および受信ユニット双方に給電する「能動状態」
を取ることができる、方法。
【請求項１７】
請求項１６記載の方法において、前記周辺デバイスのプログラミングのための前記データ流（ＤＡＴＡ）は、前記周辺デバイスが「受動状態」にあるときに、前記中央デバイスによって送信され、前記周辺デバイスは、前記データ流の受信終了時に、「能動状態」に移動して確認ストリング（ＡＣＫ）を前記中央デバイスに送信する、方法。
【請求項１８】
請求項１２から１６のいずれか１項に記載の方法において、前記周辺デバイスから前記中央デバイス、およびその逆の送信プロトコルは、ＣＳＭＡ（キャリア検知多元アクセス）型であり、前記ストリング自体の構造に関する情報を収容する「ヘッダ」フィールドと、発信元および宛先アドレスを収容するフィールドと、ストリング長を収容するフィールドと、データを収容するフィールドと、制御フィールド（ＣＲＣ）とを少なくとも含む、方法。
【請求項１９】
請求項１８記載の方法において、前記送信プロトコルは、更に、少なくとも１つの補助制御フィールドと、異形フィールドと、自動訂正フィールドとを含む、方法。
【請求項２０】
請求項１９記載の方法において、前記自動訂正フィールドは、リード・ソロモン・コードにしたがってコード化されている、方法。
【請求項２１】
請求項１８から２０までのいずれか１項に記載の方法において、前記フィールドの少なくとも１つは、対称アルゴリズム、例えば、ＣＢＣ（暗号ブロック連鎖）モードにおいて用いられているＦＥＡＬｎＸアルゴリズム（６４ビット・ブロック暗号）、および／または公開鍵によって暗号化されている、方法。